(57)【要約】      （修正有）【課題】携帯電話とワイヤレス充電器を正確に位置決めすることができ、且つ吸着力に優れたワイヤレス充電器のペアブロック位置合わせ磁気リングを提供する。【解決手段】ワイヤレス充電器のペアブロック位置合わせ磁気リング１００ａは、環状ベース１０ａと少なくとも２つの磁性セット２０ａを含み、各磁性セット２０ａは環状ベース１０ａの円周方向に沿って間隔をおいて設置され、各磁性セット２０ａはいずれも環状ベース１０ａの同じ側に設置され、それぞれの磁性セット２０ａは第１磁性体２１ａと第２磁性体２２ａを含み、第１磁性体２１ａと第２磁性体２２ａは磁気により相互に吸引し、第１磁性体２１ａと第２磁性体２２ａは環状ベース１０ａの径方向に沿って配列される。【選択図】図１
0003235091.tif 000002
【実用新案登録請求の範囲】
【請求項１】
ワイヤレス充電器のペアブロック位置合わせ磁気リングであって、環状ベースと少なくとも２つの磁性セットを含み、各前記磁性セットは前記環状ベースの円周方向に沿って間隔をおいて設置され、各前記磁性セットはいずれも前記環状ベースの同じ側に設置され、磁性セットにおけるそれぞれの前記磁性セットは第１磁性体と第２磁性体を含み、前記第１磁性体と前記第２磁性体は磁気により吸引し、前記第１磁性体と第２磁性体は環状ベースの径方向に沿って配列されることを特徴とする、ワイヤレス充電器のペアブロック位置合わせ磁気リング。
【請求項２】
前記第１磁性体の形状は前記第２磁性体の形状に対応することを特徴とする、請求項１に記載のワイヤレス充電器のペアブロック位置合わせ磁気リング。
【請求項３】
前記第１磁性体と第２磁性体はいずれも磁石であることを特徴とする、請求項１に記載のワイヤレス充電器のペアブロック位置合わせ磁気リング。
【請求項４】
前記環状ベースは鉄金属で製造されることを特徴とする、請求項１に記載のワイヤレス充電器のペアブロック位置合わせ磁気リング。
【請求項５】
前記環状ベースの前記磁性セットに近い側に設置され、各前記磁性セットが嵌め込まれ、前記磁性セットに対応する収容溝が設けられるホルダをさらに含むことを特徴とする、請求項１に記載のワイヤレス充電器のペアブロック位置合わせ磁気リング。
【請求項６】
前記ホルダに切り欠きが開設され、前記切り欠きは外部の導線を配置するために用いられることを特徴とする、請求項５に記載のワイヤレス充電器のペアブロック位置合わせ磁気リング。
【請求項７】
前記環状ベースは前記ホルダと同軸に設置されることを特徴とする、請求項５に記載のワイヤレス充電器のペアブロック位置合わせ磁気リング。
【請求項８】
前記ホルダはプラスチック材質で製造されることを特徴とする、請求項５に記載のワイヤレス充電器のペアブロック位置合わせ磁気リング。
【考案の詳細な説明】
【技術分野】
【０００１】
本考案はワイヤレス充電関連の技術分野に関し、特にワイヤレス充電器のペアブロック位置合わせ磁気リングに関する。
【背景技術】
【０００２】
科学技術の進歩に伴い、近年では、サムスン、シャオミ、アップル、ファーウェイなどますます多くの携帯電話メーカーがワイヤレス充電装置を付帯した携帯電話を発売しており、これにより携帯電話のワイヤレス充電装置の市場にも活況がもたらされている。現在、携帯電話のワイヤレス充電装置には、一般的なデスクトップ型の携帯電話ワイヤレス充電装置と、車載用の携帯電話ワイヤレス充電装置がある。現在の車載用の携帯電話ワイヤレス充電装置は、磁気吸着式の車載用携帯電話ワイヤレス充電スタンドが主流であり、これは最も操作しやすい。
【０００３】
しかしながら、携帯電話のワイヤレス充電は携帯電話の特定の場所とワイヤレス充電器を互いに接近又は接触させて初めて充電操作が実行されるものであり、これには携帯電話とワイヤレス充電器との正確な位置決めが必要とされるが、現在市販されている磁気吸着ワイヤレス充電器は一般的にこのような機能を備えておらず、携帯電話をワイヤレス充電器に置いた後も、位置を絶えず調整して正確な場所に合わせる必要があり、また磁力が不足し、携帯電話の吸着が不安定になるという現象も存在する。
【考案の概要】
【考案が解決しようとする課題】
【０００４】
本考案の目的は携帯電話とワイヤレス充電器を正確に位置決めすることができ、且つ吸着力に優れたワイヤレス充電器のペアブロック位置合わせ磁気リングを提供することであり、それにより従来技術に存在する欠点を解消する。
【課題を解決するための手段】
【０００５】
上記目的を実現するために、本考案は以下の技術的解決手段を提供する。
ワイヤレス充電器のペアブロック位置合わせ磁気リングであって、環状ベース及び少なくとも２つの磁性セットを含み、各前記磁性セットは前記環状ベースの周方向に沿って間隔をおいて設置され、各前記磁性セットはいずれも前記環状ベースの同じ側に設置され、磁性セットにおけるそれぞれの前記磁性セットは第１磁性体と第２磁性体を含み、前記第１磁性体と前記第２磁性体は磁気により相互に吸引し、前記第１磁性体と第２磁性体は環状ベースの径方向に沿って配列される。
ここで一つの実施例において、前記第１磁性体の形状は前記第２磁性体の形状に対応する。
ここで一つの実施例において、前記第１磁性体と第２磁性体はいずれも磁石である。
ここで一つの実施例において、前期環状ベースは鉄金属から製造される。
ここで一つの実施例において、前記ワイヤレス充電器のペアブロック位置合わせ磁気リングはさらにホルダを含み、前記ホルダは前記環状ベースの前記磁性セットに近接する側に設置され、各前記磁性セットは前記ホルダに嵌め込まれ、前記ホルダに前記磁性セットに対応する収容溝が設けられる。
ここで一つの実施例において、前記ホルダに切り欠きが開設され、前記切り欠きは外部の導線を配置するために用いられる。
ここで一つの実施例において、前記環状ベースは前記ホルダと同軸に設置される。
ここで一つの実施例において、前記ホルダはプラスチック材質で製造される。
【考案の効果】
【０００６】
従来技術と比較して、本考案の有益な効果は以下のとおりである。
本考案のワイヤレス充電器のペアブロック位置合わせ磁気リングは、環状ベースの円周方向に少なくとも２つの磁性セットが設置され、携帯電話のワイヤレス充電誘導領域には、環状ベースに対応する感磁体が設置され、携帯電話をワイヤレス充電器に置くと自動的に正確な位置合わせを行い充電することができ、磁性体の異なる極性が相互に吸引する特徴を利用して、第１磁性体と第２磁性体を設置することにより、両者の磁気吸引の接触面に片面多極の効果を形成して、磁性セットの磁界強度を強化し、ワイヤレス充電器の吸着力を向上させる。
【図面の簡単な説明】
【０００７】
【図１】本考案の第１実施例におけるワイヤレス充電器のペアブロック位置合わせ磁気リングの構造概略図である。
【図２】図１に示すワイヤレス充電器のペアブロック位置合わせ磁気リングの構造の分解概略図である。
【図３】本考案の第２実施例におけるワイヤレス充電器のペアブロック位置合わせ磁気リングの構造概略図である。
【図４】本考案の第３実施例におけるワイヤレス充電器のペアブロック位置合わせ磁気リングの構造概略図である。
【図５】図４に示すワイヤレス充電器のペアブロック位置合わせ磁気リングの構造の分解概略図である。
【図６】本考案の第４実施例におけるワイヤレス充電器のペアブロック位置合わせ磁気リングの構造概略図である。
【図７】図６に示すワイヤレス充電器のペアブロック位置合わせ磁気リングの構造の分解概略図である。
【考案を実施するための形態】
【０００８】
本考案の上記目的、特徴及び利点をより分かりやすくするために、以下に図面を参照しながら本考案の具体的な実施形態を詳細に説明する。本考案の十分な理解のために、多数の具体的な詳細を以下の説明に記載する。しかしながら本考案は本明細書に記載されたのとは異なる他の多くの形態で実施することができ、当業者は本考案の内容から逸脱することなく類似の改良を行うことができ、従って本考案は以下に開示する具体的な実施例に限定されるものではない。
【０００９】
なお、要素が他の要素に「固定される」とある場合、それは他の要素上に直接存在しているか、又はその中に要素が存在するものであってもよい。素子が他の要素に「接続される」ていれば、他の要素に直接接続されているか、又はその中に同時に存在する要素であり得る。要素の数が「複数」である場合、それは２つ以上の任意の数であり得る。本明細書で使用される「垂直」、「水平」、「左」、「右」という用語及び同様の表現は、説明を目的としているに過ぎず、唯一の実施形態を表すものではない。
【００１０】
別途定義されない限り、本明細書で使用される全ての技術用語及び科学用語は、当業者によって一般的に理解されるものと同じ意味を有する。本考案の明細書で使用される用語は、具体的な実施形態の説明を目的としているに過ぎず、本考案の限定を意図したものではない。本明細書で使用される「及び／又は」という用語は、１つ以上の列挙された関連項目の、任意の及び全ての組み合わせを含む。
【００１１】
以下に図面に示す各実施形態を参照しながら本考案を詳細に説明する。
【００１２】
実施例１
図１と図２を参照すると、本考案の好ましい実施形態の一つであるワイヤレス充電器のペアブロック位置合わせ磁気リング１００ａであって、環状ベース１０ａと少なくとも２つの磁性セット２０ａを含み、各磁性セット２０ａは環状ベース１０ａの円周方向に沿って間隔をおいて設置され、各磁性セット２０ａはいずれも環状ベース１０ａの同じ側に設置され、磁性セット２０ａにおけるそれぞれの磁性セット２０ａは第１磁性体２１ａと第２磁性体２２ａを含み、第１磁性体２１ａと第２磁性体２２ａは磁気により相互に吸引し、第１磁性体２１ａと第２磁性体２２ａは環状ベース１０ａの径方向に沿って配列される。本考案のワイヤレス充電器のペアブロック位置合わせ磁気リング１００ａは、環状ベース１０ａの円周方向に少なくとも２つの磁性セット２０ａが設置され、携帯電話のワイヤレス充電誘導領域には、環状ベース１０ａに対応する感磁体が設置され、携帯電話をワイヤレス充電器に置くと自動的に正確な位置合わせを行い充電することができ、磁性体の異なる極性が相互に吸引する特徴を利用して、第１磁性体２１ａと第２磁性体２２ａを設置することにより、両者の磁気吸引の接触面に片面多極の効果を形成して、磁性セット２０ａの磁界強度を強化し、ワイヤレス充電器の吸着力を向上させる。
【００１３】
図１及び図２に示すように、環状ベース１０ａは環状構造であり、環状ベース１０ａの内孔はワイヤレス充電器の誘導コイルを配置するために用いられ、本実施例において、環状ベース１０ａは鉄金属で製造される。他の実施例において、環状ベース１０ａは他の材質で製造されてもよい。
【００１４】
各磁性セット２０ａは環状ベース１０ａの円周方向に沿って間隔をおいて設置され、各磁性セット２０ａはいずれも環状ベース１０ａの同じ側に設置され、任意選択的に、磁性セット２０ａの数は５つであり、５つの磁性セット２０ａは環状ベース１０ａの同じ側に間隔をおいて設置され、１つの磁気リングを構成し、さらに携帯電話のワイヤレス充電領域には、環状ベースに対応する感磁体を設置することにより、携帯電話とワイヤレス充電器の正確な位置決めを実現することができ、本実施例における磁性セット２０ａの形状は扇形である。他の実施例において、磁性セット２０ａの形状は長方形、正方形等の形状であってもよい。
【００１５】
本実施例において、それぞれの磁性セット２０ａは第１磁性体２１ａと第２磁性体２２ａを含み、第１磁性体２１ａと第２磁性体２２ａは磁気により相互に吸引し、且つ第１磁性体２１ａと第２磁性体２２ａは環状ベース１０ａの径方向に沿って配列され、第１磁性体２１ａと第２磁性体２２ａの接触面に片面多極の効果を形成して、磁界の強度を強化し、ワイヤレス充電器の携帯電話に対する吸着力を向上させる。図２に示すように、第１磁性体２１ａと第２磁性体２２ａはいずれも扇形であり且つ同軸に設置され、任意選択的に、第１磁性体２１ａと第２磁性体２２ａはいずれも磁石であり、複数の第１磁性体２１ａでＮ極外リングを構成し、複数の第２磁性体２２ａでＳ極内リングを構成し、又は複数の第１磁性体２１ａでＳ極外リングを構成し、複数の第２磁性体２２ａでＮ極内リングを構成することにより、複数の磁性セット２０ａで構成された磁気リングの磁性強度を強化する。
【００１６】
任意選択的に、環状ベース１０ａは鉄金属で製造され、それにより磁性セット２０ａを環状ベース１０ａに直接吸着させることができ、他の実施例において、環状ベース１０ａが鉄金属で製造されていない場合、接着剤を用いて磁性セットを環状ベース１０ａに固定することができる。
【００１７】
本考案のワイヤレス充電器のペアブロック位置合わせ磁気リング１００ａにおいて、環状ベース１０ａの円周方向に少なくとも２つの磁性セット２０ａが設置され、携帯電話のワイヤレス充電誘導領域には、環状ベース１０ａに対応する感磁体が設置され、携帯電話をワイヤレス充電器に置くと自動的に正確な位置合わせを行い充電することができ、磁性体の異なる極性が相互に吸引する特徴を利用し、第１磁性体２１ａと第２磁性体２２ａを設置することにより、両者の磁気吸引の接触面に片面多極の効果を形成して、磁性セット２０ａの磁界強度を強化し、ワイヤレス充電器の吸着力を向上させる。
【００１８】
実施例２
図３を参照すると、本考案の第２実施形態であるワイヤレス充電器のペアブロック位置合わせ磁気リング１００ｂであって、本実施例は第１実施例のワイヤレス充電器のペアブロック位置合わせ磁気リング１００ａと類似しており、相違点は、本実施例におけるワイヤレス充電器のペアブロック位置合わせ磁気リング１００ｂの磁性セット２０ｂは、その形状が方形であることであり、各磁性セット２０ｂは環状ベース１０ｂの円周方向に沿って間隔をおいて設置され、本実施例における磁性セット２０ｂの数は１１個であり、第１磁石体２１ｂの形状と第２磁性体２２ｂの形状はいずれも方形である。
【００１９】
実施例３
さらに図４と図５を参照すると、本考案の第３実施形態であるワイヤレス充電器のペアブロック位置合わせ磁気リング１００ｃであって、本実施例は第１実施例のワイヤレス充電器のペアブロック位置合わせ磁気リング１００ａと類似しており、相違点は、本実施例におけるワイヤレス充電器のペアブロック位置合わせ磁気リング１００ｃがさらにホルダ２０ｃを含むことである。
【００２０】
ホルダ２０ｃは環状ベース１０ｃの片側に設置され、且つホルダ２０ｃは環状ベース１０ｃと同軸に設置され、ホルダ２０ｃに収容溝２１ｃが設けられ、収容溝２１ｃの形状は扇形であり、任意選択的に、収容溝２１ｃの数は５箇所であり、５箇所の収容溝２１ｃはホルダ２０ｃの周方向に沿って間隔をおいて設置される。他の実施例では、収容溝２１ｃの数は２箇所以上である。任意選択的に、ホルダ２０ｃに切り欠き２２ｃが開設され、切り欠き２２ｃは外部の誘導コイルの導線を配置するために用いられる。任意選択的に、ホルダ２０ｃはプラスチック材質で製造される。ホルダ２０ｃは位置決めの役割を果たすことができ、本ワイヤレス充電器のペアブロック位置合わせ磁気リング１００ｃを組み立てる際の作業の難易度を低下させ、作業効率を向上させることができる。
磁性セット３０ｃは収容溝２１ｃに嵌め込まれ、収容溝２１ｃの形状は磁性セット３０ｃの形状に対応し、磁性セット３０ｃの数は収容溝２１ｃの数と一対一で対応し、任意選択的に、磁性セット３０ｃの数と収容溝２１ｃの数はいずれも５つである。５つの磁性セット３０ｃはそれぞれ５つの収容溝２１ｃに嵌め込まれて、１つの磁気リングを構成する。
【００２１】
実施例４
さらに図４と図５を参照すると、本考案の第３実施形態であるワイヤレス充電器のペアブロック位置合わせ磁気リング１００ｄであって、本実施例は第２実施例のワイヤレス充電器のペアブロック位置合わせ磁気リング１００ｂと類似し、相違点は、本実施例におけるワイヤレス充電器のペアブロック位置合わせ磁気リング１００ｄがさらにホルダ２０ｄを含むことである。
【００２２】
ホルダ２０ｄは環状ベース１０ｄの片側に設置され、且つホルダ２０ｄは環状ベース１０ｄと同軸に設置され、ホルダ２０ｄに収容溝２１ｄが設けられ、収容溝２１ｄの形状は方形であり、任意選択的に、収容溝２１ｄの数は１１箇所であり、１１箇所の収容溝２１ｄはホルダ２０ｄの周方向に沿って間隔をおいて設置される。他の実施例では、収容溝２１ｄの数は２箇所以上である。任意選択的に、ホルダ２０ｄに切り欠き２２ｄが開設され、切り欠き２２ｄは外部の誘導コイルの導線を配置するために用いられる。任意選択的に、ホルダ２０ｄはプラスチック材質で製造される。ホルダ２０ｄは位置決めの役割を果たすことができ、本ワイヤレス充電器のペアブロック位置合わせ磁気リング１００ｄを組み立てる際の作業の難易度を低下させ、作業効率を向上させることができる。
【００２３】
磁性セット３０ｄは収容溝２１ｄに嵌め込まれ、収容溝２１ｄの形状は磁性セット３０ｄの形状に対応し、磁性セット３０ｄの数は収容溝２１ｄの数と一対一で対応し、任意選択的に、磁性セット３０ｄの数と収容溝２１ｄの数はいずれも１１であり、１１の磁性セット３０ｄはそれぞれ１１箇所の収容溝２１ｄに嵌め込まれ、１つの磁気リングを構成する。
【００２４】
以上の実施例の各技術的特徴は任意に組み合わせることができ、説明を簡略化するために、上記実施例における各技術的特徴において可能な組み合わせを全て説明していないが、これらの技術的特徴の組み合わせに矛盾がない限り、いずれも本明細書に記載の範囲と見なすべきである。
【００２５】
以上の実施例は本考案の幾つかの実施形態を示しているに過ぎず、その説明は具体的且つ詳細であるが、それにより考案登録請求の範囲を限定すると理解すべきではない。なお、当業者にとって、本考案の構想から逸脱しない前提で、さらにいくらかの変形及び改良を行うことができ、それらはいずれも本実用新案登録請求の範囲に属する。従って、本考案の保護範囲は添付の請求項を基準とすべきである。
【符号の説明】
【００２６】
１００ａ  ワイヤレス充電器のペアブロック位置合わせ磁気リング
１０ａ  環状ベース
２０ａ  磁性セット
２１ａ  第１磁性体
２２ａ  第２磁性体
１００ｂ  ワイヤレス充電器のペアブロック位置合わせ磁気リング
１０ｂ  環状ベース
２０ｂ  磁性セット
２１ｂ  第１磁性体
２２ｂ  第２磁性体
１００ｃ  ワイヤレス充電器のペアブロック位置合わせ磁気リング
１０ｃ  環状ベース
２０ｃ  ホルダ
２１ｃ  収容溝
２２ｃ  切り欠き
３０ｃ  磁性セット
１００ｄワイヤレス充電器のペアブロック位置合わせ磁気リング
１０ｄ  環状ベース
２０ｄ  ホルダ
２１ｄ  収容溝
２２ｄ  切り欠き
３０ｄ  磁性セット
【図１】
0003235091.tif 000003
【図２】
0003235091.tif 000004
【図３】
0003235091.tif 000005
【図４】
0003235091.tif 000006
【図５】
0003235091.tif 000007
【図６】
0003235091.tif 000008
【図７】
0003235091.tif 000009